(57)【要約】【課題】室内機の側方の空間が狭くても電気品箱の蓋体の開閉が行い易い空気調和機を提供する。【解決手段】本発明に係る空気調和機（室内機Ａ）は、室内機筐体ベース１内に熱交換器２と送風機３と電気品箱４とを備え、前記電気品箱４は、電装基板６を固定する絶縁材製の基板サポート部７が取り付けられており、開口部８１を有する有底箱状をなす板金製の電気品ケース８と、前記電気品ケース８の開口部８１を覆う板金製の蓋体５と、を有すると共に、前記熱交換器２及び前記送風機３の長手方向に隣接して配置されており、前記蓋体５が、スライドさせることによって前記開口部８１を開閉する開閉機構９を有している。【選択図】図２
2018136097.tif 000002
【特許請求の範囲】
【請求項１】
室内機筐体ベース内に熱交換器と送風機と電気品箱とを備え、
前記電気品箱は、電装基板を固定する絶縁材製の基板サポート部が取り付けられており、開口部を有する有底箱状をなす板金製の電気品ケースと、前記電気品ケースの開口部を覆う板金製の蓋体と、を有すると共に、前記熱交換器及び前記送風機の側方に隣接して配置されており、前記蓋体をスライドさせることによって前記開口部を開閉する開閉機構を有することを特徴とする空気調和機。
【請求項２】
請求項１において、
前記開閉機構は、
前記蓋体の一部を曲折してなり、且つ対向配置されており、前記電気品ケースの壁部と当接する一対の蓋体折曲部と、
前記電気品ケースの一部を曲折してなり、スライドさせた前記蓋体が突き当てられて位置決めするケース折曲部と、を有していることを特徴とする空気調和機。
【請求項３】
請求項２において、
前記蓋体は、前記蓋体折曲部が前記電気品ケースの壁部の外側に配置されるようにして形成されており、且つ前記ケース折曲部と当接する部分が折り返されて形成された密着曲げ部を有することを特徴とする空気調和機。
【請求項４】
請求項２において、
前記蓋体折曲部の端部が、前記電気品ケースから離間する方向に曲折させた開き部を有することを特徴とする空気調和機。
【請求項５】
請求項２において、
前記ケース折曲部は、前記電気品ケースの壁部からの立ち上がり角度が直角よりも大きいことを特徴とする空気調和機。
【請求項６】
請求項１において、
前記基板サポート部の一部が前記電気品ケースから露出していると共に、露出した前記基板サポート部の一部において前記蓋体を固定するための固定爪を有し、
前記蓋体は、前記開口部を閉じた状態としたときに、前記固定爪によって固定される被固定部を有することを特徴とする空気調和機。
【請求項７】
請求項６において、
前記固定爪を撓ませて前記被固定部から取り外す取外部が、前記固定爪と一体的に形成されていることを特徴とする空気調和機。
【発明の詳細な説明】
【技術分野】
【０００１】
本発明は、空気調和機に関する。
【背景技術】
【０００２】
冷媒回路を用いた冷凍サイクル（ヒートポンプサイクル）で冷媒を循環させる冷凍サイクル装置が、例えば、空気調和機として広く用いられている。
空気調和機には、室外機１台に室内機１台を組み合わせるペアタイプ空気調和機と、室外機１台に複数台の室内機を組み合わせるマルチタイプ空気調和機とがある。ペアタイプ空気調和機は、一般家庭や比較的小規模な店舗によく用いられており、マルチタイプ空気調和機は、ビルによく用いられている。
【０００３】
これらに用いられ得る室内機が、例えば、特許文献１に記載されている。
特許文献１に記載されている室内ユニット（室内機）は、熱交換器と、この熱交換器に対向して配置される送風機と、を収容するユニット本体を有している。
また、このユニット本体内の熱交換器及び送風機の側方部位に電気部品箱（電気品箱）が配置されている。
そして、この電気部品箱は、熱交換器及び送風機側の側面部が開口する部品箱本体と、この部品箱本体の側面開口部と対向する側面部に取着され、電気制御部品が実装される制御基板と、前記した部品箱本体の側面開口部を開閉自在に閉成する側面蓋体とを具備している。
【先行技術文献】
【特許文献】
【０００４】
【特許文献１】特開平９−６０９１８号公報
【発明の概要】
【発明が解決しようとする課題】
【０００５】
特許文献１に記載されている室内機の電気品箱は、前記したように、部品箱本体の側面開口部を開閉自在に閉成する側面蓋体を具備している。すなわち、この電気品箱は、部品箱本体から側面蓋体を側方に移動させて開閉を行う構造となっている。
【０００６】
室内機は、熱交換器や送風機を備えているため、電気品箱の配置場所は室内機の右端又は左端となることが多い。そのため、室内機を屋内の隅に近接させて設置した場合に電気品箱の開閉が困難になり、メンテナンス性が悪いという問題があった。
【０００７】
本発明は前記問題に鑑みてなされたものであり、室内機の側方の空間が狭くても電気品箱の蓋体の開閉が行い易い空気調和機を提供することを課題とする。
【課題を解決するための手段】
【０００８】
前記課題を解決した本発明に係る空気調和機は、室内機筐体ベース内に熱交換器と送風機と電気品箱とを備え、前記電気品箱は、電装基板を固定する絶縁材製の基板サポート部が取り付けられており、開口部を有する有底箱状をなす板金製の電気品ケースと、前記電気品ケースの開口部を覆う板金製の蓋体と、を有すると共に、前記熱交換器及び前記送風機の側方に隣接して配置されており、前記蓋体をスライドさせることによって前記開口部を開閉する開閉機構を有することとした。
【発明の効果】
【０００９】
本発明によれば、室内機の側方の空間が狭くても電気品箱の蓋体の開閉が行い易い空気調和機を提供することができる。
【図面の簡単な説明】
【００１０】
【図１】本実施形態に係る空気調和機（室内機）のカバー体を外して室内機の内部を露出させた様子を示す概略斜視図である。
【図２】電気品箱を説明する図であり、電気品ケースに蓋体を取り付けている様子を示した一部概略斜視図である。
【図３】図２における蓋体折曲部、開き部、密着曲げ部及びケース折曲部の位置関係を示した要部拡大図である。
【図４】図２における固定爪及び被固定部の位置関係を示した要部拡大図である。
【図５】電気品ケースに蓋体が完全に取り付けられた様子を示す一部概略斜視図である。
【図６】図５における被固定部が固定爪に固定されている様子を正面から見た一部概略斜視図である。
【図７】図５における被固定部が固定爪に固定されている様子を図５のVII−VII線から見た一部概略斜視図である。
【図８】開閉機構の変形例を示す概略断面図である。
【図９】開閉機構の変形例を示す概略断面図である。
【発明を実施するための形態】
【００１１】
以下、適宜図面を参照して、本発明に係る空気調和機の一実施形態について詳細に説明する。
空気調和機は、一般的に、室内機と室外機とリモコンとを備えている。室内機と室外機とは、冷媒配管で接続され、周知の冷媒サイクルによって室内機が設置されている室内を空調する。また、室内機と室外機とは、通信ケーブルを介して互いに情報を送受信するようになっている。
【００１２】
リモコンはユーザによって操作され、室内機のリモコン受信部に対して赤外線信号を送信する。当該信号の内容は、運転要求、設定温度の変更、タイマ、運転モードの変更、停止要求などの指令である。空気調和機は、これらの信号に基づいて電装基板で処理を行い、冷房モード、暖房モード、除湿モードなどの空調運転を行う。
【００１３】
図１は、本実施形態に係る空気調和機（室内機Ａ）のカバー体（図示せず）を外して室内機Ａの内部を露出させた様子を示す概略斜視図である。
図１に示すように、室内機Ａは、室内機筐体ベース１の内部に熱交換器２と送風機３と電気品箱４とを備えている。図１に示す例では、熱交換器２と送風機３は、長手方向が室内機Ａの左右方向となるように設置されている。電気品箱４は、熱交換器２と送風機３の側方、つまり、熱交換器２と送風機３の長手方向の端部に隣接して配置されている。図１では、電気品箱４は室内機Ａの右端に配置されている。電気品箱４は、板金製の電気品ケース８（図２参照）と板金製の蓋体５（図２参照）とを有している。電気品ケース８と蓋体５は任意の金属材料で形成することができる。
【００１４】
ここで、図２は、電気品箱４を説明する図であり、電気品ケース８に蓋体５を取り付けている様子を示した一部概略斜視図である。
電気品ケース８は、開口部８１を有する有底箱状をなす部材である。電気品ケース８には、電装基板６を固定する絶縁材製の基板サポート部７が取り付けられている。
蓋体５は、電気品ケース８の開口部８１を覆う部材である。
電気品箱４は、蓋体５をスライドさせることによって開口部８１を開閉する開閉機構９を有している。
【００１５】
電気品箱４は、開閉機構９を有しているので、蓋体５をスライドさせて着脱できる。そのため、本実施形態においては、室内機Ａを屋内の隅に近接させて設置した場合のように、側方の空間が狭くても電気品箱４の蓋体５の開閉が行い易いものとなっている。これにより、室内機Ａは、メンテナンス性が向上している。
【００１６】
ここで、本実施形態における開閉機構９の一例としては、図２に示すように、一対の蓋体折曲部５１、５２と、ケース折曲部１２と、を有するものが好適に適用できる。
蓋体折曲部５１、５２は、蓋体５の一部が曲折されることによって対向配置されており、電気品ケース８の壁部８２と当接するようになっている。
ケース折曲部１２は、電気品ケース８の奥板８３の一部を前方へ曲折して略Ｌ字状をなしており、後方にスライドさせた蓋体５が突き当てられるようになっている。そのため、ケース折曲部１２は、スライドさせた蓋体５の位置決め（固定）を行うことができる。
【００１７】
なお、ケース折曲部１２は、電気品ケース８の壁部８２からの立ち上がり角度θ（図３の切欠き部分参照）が直角よりも大きくするのが好ましい。このようにすると、スライドさせた蓋体５が所定の位置に到達するよりも前の位置でケース折曲部１２の一部と接触して蓋体５のスライドを妨げるおそれを低減できる。
【００１８】
このように、本実施形態に係る室内機Ａの電気品箱４は、一対の蓋体折曲部５１、５２と、ケース折曲部１２と、を有する開閉機構９を有しているので、蓋体５をスライドさせて着脱するのをより確実且つ容易に行うことができる。そのため、このような開閉機構９を有する室内機Ａは、側方の空間が狭くても電気品箱４の蓋体５の開閉をより行い易いものとなる。従って、メンテナンス等もより行い易くなっている。
【００１９】
ここで、図３は、図２における蓋体折曲部５１、５２、開き部５３、５４、密着曲げ部１１及びケース折曲部１２の位置関係を示した要部拡大図である。図３は、ケース折曲部１２及び角度θを見易くするため、部材の一部を切欠いて図示している。
図２及び図３に示すように、蓋体５は、蓋体折曲部５１が電気品ケース８の外側に配置されるようにして形成されているのが好ましい。このようにすると、蓋体５のスライドが行い易くなる。また、蓋体５は、ケース折曲部１２と当接する部分が折り返されて形成された密着曲げ部１１を有しているのが好ましい。密着曲げ部１１を形成すると縁が丸みを帯びるので、蓋体５をスライドさせたときに電気配線などを傷付けるおそれを低減することができる。また、密着曲げ部１１は蓋体５の一部が折り返されて形成されているので、厚みが厚くなっている。従って、ケース折曲部１２と当接する面積が増えるため、密着曲げ部１１とケース折曲部１２との密着性が高くなるので好ましい。さらに、密着曲げ部１１を有することにより、強度も増すため、取扱い性が向上する。
【００２０】
また、図２及び図３に示すように、蓋体折曲部５１、５２の後方の端部には電気品ケース８から離間する方向に曲折させた開き部５３、５４が設けられているのが好ましい。このようにすると、電気品ケース８の開口部８１に蓋体５を取り付けるために蓋体折曲部５１、５２を電気品ケース８の壁部８２に当接させた際に、蓋体折曲部５１、５２が電気品ケース８の壁部８２を傷付け難くすることができる。また、その際に蓋体折曲部５１、５２を案内し易くすることもできる。
なお、図２及び図３について、電気品ケース８及び蓋体５を下方から見た場合は、電気品ケース８、蓋体折曲部５２（図３に図示せず）、開き部５４（図３に図示せず）、密着曲げ部１１及びケース折曲部１２が図２及び図３と同様の位置関係となる。
【００２１】
図４は、図２における固定爪１３及び被固定部１５の位置関係を示した要部拡大図である。
図４に示すように、本実施形態においては、絶縁材製の基板サポート部７の一部が電気品ケース８から露出していると共に、露出した基板サポート部７の一部において蓋体５を固定するための固定爪１３を有しているのが好ましい。そして、蓋体５は、開口部８１を閉じた状態としたときに、固定爪１３によって固定される被固定部１５を有しているのが好ましい。このようにすると、基板サポート部７の固定爪１３を蓋体５の被固定部１５に固定することで蓋体５により開口部８１を塞いだ状態を維持できる。なお、本実施形態では、図２などに示すように、前記した基板サポート部７の一部を電気品ケース８から露出させ、当該露出させた部分に、前記したように固定爪１３を設けているので、被固定部１５を固定爪１３から取り外すのが容易である。
ここで、固定爪１３は、室内機Ａの前方から後方にかけて若干の出っ張りを有する凸部などとすることができ、被固定部１５は、固定爪１３を係止することのできる矩形状や円形状などの任意の形状の貫通孔や凹部などとすることができる。このようにすると、固定爪１３の着脱が容易でありながら、蓋体５で開口部８１を塞いだ状態をより確実に維持できるので好ましい。
【００２２】
また、前記した固定爪１３及び被固定部１５を有する場合、固定爪１３を撓ませて被固定部１５から取り外す取外部１４が、固定爪１３と一体的に形成されているのが好ましい。このようにすると、被固定部１５を固定爪１３から取り外すのがより容易となる。
【００２３】
次に、室内機Ａの電気品ケース８の開口部８１に対する蓋体５の着脱方法について、好ましい態様を示して説明する。
電気品ケース８の開口部８１に蓋体５を取り付ける場合、蓋体５の手前側（図２に示す前方側）を持ち、図２に示すように、蓋体折曲部５１、５２がそれぞれ電気品ケース８の壁部８２の外側に配置されるようにして近づけて当接させる。このとき、図３に示すように、蓋体折曲部５１、５２にそれぞれ開き部５３、５４を設けていると、蓋体折曲部５１、５２が電気品ケース８の壁部８２を傷付け難くすることができたり、蓋体折曲部５１、５２を案内し易くしたりすることができるので好ましい。
次いで、密着曲げ部１１がケース折曲部１２の内側に突き当たるまでスライドさせる。
【００２４】
そして、密着曲げ部１１がケース折曲部１２に突き当たっている状態で、蓋体５の手前側を基板サポート７が取り付けられている電気品ケース８に近接させて閉じ合わせ、被固定部１５を固定爪１３に係止させて固定する。
図５は、前記したようにして電気品ケース８に蓋体５が完全に取り付けられた様子を示す一部概略斜視図である。図５に示すように、蓋体５は、蓋体折曲部５１、５２を電気品ケース８の壁部８２の外側に配置している。また、蓋体５は、密着曲げ部１１をケース折曲部１２の内側に配置している。さらに、蓋体５の被固定部１５は、基板サポート７の固定爪１３に係止されて固定爪１３の内側に配置されている。
【００２５】
ここで、図６は、図５における被固定部１５が固定爪１３に固定されている様子を正面から見た一部概略斜視図である。図７は、図５における被固定部１５が固定爪１３に固定されている様子を図５のVII−VII線から見た一部概略斜視図である。
図６及び図７に示すように、蓋体５を取り外す場合、取外部１４を手前側に引きながら蓋体５を電気品ケース８から離間する方向にずらして被固定部１５を固定爪１３から外した後、蓋体５を手前にスライドさせる。
【００２６】
以上に説明したように、空気調和機（室内機Ａ）は、側方の空間が狭くても蓋体５をスライドさせることによって電気品箱４を開閉できる。そのため、空気調和機（室内機Ａ）は、空気調和機のメンテナンス性が向上している。
また、蓋体折曲部５１、５２及びケース折曲部１２により電気品箱４の密閉性が高くなるため、電装基板６からの発火による周辺部への影響を少なくすることができ、製品としての安全性が向上する。
【００２７】
その上、蓋体５は、蓋体折曲部５１、５２を電気品ケース８の壁部８２の外側に配置し、密着曲げ部１１を設けている。そのため、蓋体５をスライドさせる際に電気配線が板金の切断部分（蓋体５の端面）に直接触れなくなり、電気配線の絶縁被膜が破れる心配がなく、板金加工による電気配線に対するリスクが低減されている。
また、蓋体５に開き部５３、５４を設け、電気品ケース８のケース折曲部１２を壁部８２からの立ち上がり角度θを直角よりも大きくしたことにより、蓋体５をスライドさせ易く、自然と電気品ケース８に取り付けることができるようになっており、作業性が向上している。
【００２８】
さらに、基板サポート７の内側に備えた固定爪１３と蓋体５の被固定部１５により、単一の固定方法で蓋体５の側方及びスライド方向への固定を実現している。前記した固定方法は、取外部１４を手前に引くことで容易に解除することができるため、構造が簡単で、且つ作業性が高い。
【００２９】
なお、本実施形態における基板サポート７では、図４から図６に示すように、固定爪１３、取外部１４及び被固定部１５が電気品ケース８から露出しており、作業者から視認し易くなっている。従って、蓋体５を取り外すときに操作するべき場所と方法を判断し易い。
【００３０】
また、被固定部１５が基板サポート７の内側に配置されている構造は、空気調和機の運搬時などにおいて手前側から力が加わった場合であっても、被固定部１５が固定爪１３から外れ難い。つまり、空気調和機の手前側から力が加わった場合に対する強度向上の効果もある。
【００３１】
以上、本発明に係る空気調和機について実施形態により説明したが、これは本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。また、下記のような変形例とすることもできる。
【００３２】
図８及び図９は、開閉機構９の変形例を示す概略断面図である。
図８に示すように、開閉機構９は、電気品ケース８の壁部８２の内側に、蓋体５の蓋体折曲部５１ａ、５２ａが当接するようにスライドさせる態様とすることができる。
また、図９に示すように、開閉機構９は、蓋体５の蓋体折曲部５１ｂ、５２ｂのそれぞれを電気品ケース８の壁部８２をスライド可能に挟み込むことのできる挟み込み構造とすることができる。つまり、蓋体５の蓋体折曲部５１ｂ、５２ｂの挟み込み構造で電気品ケース８の壁部８２を挟み込んでスライドさせる態様とすることができる。
図８及び図９に示すいずれの態様も蓋体５をスライドさせて電気品ケース８と着脱することができる。そのため、室内機Ａ（図１など参照）は、室内機Ａを屋内の隅に近接させて設置した場合のように、側方の空間が狭くても電気品箱４の蓋体５の開閉が行い易いものとなる。これにより、室内機Ａは、メンテナンス性が向上している。
【符号の説明】
【００３３】
Ａ      室内機（空気調和機）
１      室内機筐体ベース
２      熱交換器
３      送風機
４      電気品箱
５      蓋体
５１、５２  蓋体折曲部
５３、５４  開き部
６      電装基板
７      基板サポート部
８      電気品ケース
８１    開口部
８２    壁部
９      開閉機構
１１    密着曲げ部
１２    ケース折曲部
１３    固定爪
１４    取外部
１５    被固定部
【図１】
2018136097.tif 000003
【図２】
2018136097.tif 000004
【図３】
2018136097.tif 000005
【図４】
2018136097.tif 000006
【図５】
2018136097.tif 000007
【図６】
2018136097.tif 000008
【図７】
2018136097.tif 000009
【図８】
2018136097.tif 000010
【図９】
2018136097.tif 000011